(57)【特許請求の範囲】
【請求項１】
左右一対のベースブラケット間に個別に支持されたシートクッション、シートバックを備えるとともに、所定の枢軸を支点としたシートバック方向へのシートクッションの跳ね上げを、その折り畳み形態とした車両用チップアップシートであり、
所定スイッチ操作により駆動制御されるピニオンギヤ付のモータが、上記シートクッションの骨格をなすシートクッションフレームに対する固定のもとで当該シートクッション内に配設され、このシートクッションの揺動中心となる上記枢軸と平行な駆動シャフトがシートクッション内に配されるとともに、この駆動シャフトにセクタギヤが一体回動可能に設けられ、ピニオンギヤに噛合可能な入力ギヤ、およびセクタギヤに噛合可能な出力ギヤを有してなる所定の動力伝達手段を介したモータの動力伝達により、この駆動シャフトを、モータ出力端の回転方向に対応する方向に軸転駆動するものとし、
この駆動シャフトにサポートリンクを一体に設け、このサポートリンクの先端部と上記ベースブラケットの所定位置との間に、所定の支持リンクをその各端部の枢支のもとで架設することにより、上記モータの動力による下降位置、跳ね上げ位置間でのシートクッションの揺動を駆動シャフトの回動のもとで確保可能としたことを特徴とする車両用チップアップシート。
【請求項２】
下降位置、跳ね上げ位置間をチップアップ作動範囲として規定するとともに、下降位置からの上方所定範囲を、着座可能位置となるチルト作動範囲として規定し、
チップアップ作動範囲間でのシートクッションの揺動をチップアップスイッチによって行い、かつチルト作動範囲内でのシートクッションの揺動をチルトスイッチによって行うものとした請求項１記載の車両用チップアップシート。
【発明の詳細な説明】
【技術分野】
【０００１】
本発明は、シートバック方向へのシートクッションの跳ね上げをその折り畳み形態とする車両用チップアップシート、特に着座可能位置でのシートクッションの傾斜角度を適宜調整、設定可能とするチルト機能の併設された車両用チップアップシートに関する。
【背景技術】
【０００２】
シートバック方向へのシートクッションの跳ね上げをその折り畳み形態とする跳ね上げ式の折り畳みシート、いわゆるチップアップシートが、荷室の拡張アレンジ等を可能とするワンボックス車や多目的自動車等のリヤシートとして知られている。
【０００３】
たとえば、特開２００３−１１８４３６号公報等に開示のように、一般的に、この種のチップアップシートは、ロック手段に対するロック解除操作、およびシートクッションに対する揺動操作を手動のもとで行う、いわゆるマニュアル作動式となっており、特に、この公知の構成においては、着座可能位置でのシートクッションの傾斜角度を適宜調整、設定可能とする、いわゆるチルト機能の併設されたものとして、下降位置からの上方所定範囲（チルト調整範囲）内に、複数段階のロック位置が設けられている。
【０００４】
ところで、この種のチップアップシートは、荷室の拡張等を目的として設けられるものであるため、シートクッションの跳ね上げ後におけるその前方、あるいは後方へのシート全体のスライドが要求される。しかし、この公知のチップアップシートはマニュアル作動式であるため、シートクッションの跳ね上げ作業とシート全体のスライド作業との２工程の作業が少なくとも要求されることから、その作業性の低下が伴われる。
【０００５】
そして、狭い作業空間でのレバー操作等が要求される場合も起こり得るため、この点においても、その作業性の低下は避けられない。
【０００６】
また、この公知のチップアップシートに設けられたチルト機構は、複数段階のロック位置によりシートクッションの傾斜角度を調整、設定するものであるため、無段階でのその角度調整、つまりは傾斜角度の微調整が行えないことから、チルト機構としての性能の低下は免れない。
【０００７】
そして、このチルト調整範囲内でのロック手段のロック可能状態においては、ロック手段が近傍のロック位置でロックされてしまうため、シートクッションを下降位置から跳ね上げ位置まで揺動させる際、あるいは跳ね上げ位置から下降位置まで揺動させる際には、少なくともこのチルト調整範囲内では、ロック手段に対するロック解除状態を維持しなければならない。つまり、その作業の煩雑化も伴われるため、この点においてもその作業性の低下は避けられない。
【特許文献１】特開２００３−１１８４３６号公報
【発明の開示】
【発明が解決しようとする課題】
【０００８】
解決しようとする問題点は、マニュアル作動式であるとその操作性の低下が免れない点、および複数段階でのチルト調整であると、傾斜角度の微調整が行えないという点である。
【課題を解決するための手段】
【０００９】
本発明の請求項１に係る車両用チップアップシートは、左右一対のベースブラケット間に個別に支持されたシートクッション、シートバックを備えるとともに、所定の枢軸を支点としたシートバック方向へのシートクッションの跳ね上げを、その折り畳み形態とした車両用チップアップシートであり、所定スイッチ操作により駆動制御されるピニオンギヤ付のモータが、上記シートクッションの骨格をなすシートクッションフレームに対する固定のもとで当該シートクッション内に配設され、このシートクッションの揺動中心となる上記枢軸と平行な駆動シャフトがシートクッション内に配されるとともに、この駆動シャフトにセクタギヤが一体回動可能に設けられ、ピニオンギヤに噛合可能な入力ギヤ、およびセクタギヤに噛合可能な出力ギヤを有してなる所定の動力伝達手段を介したモータの動力伝達により、この駆動シャフトを、モータ出力端の回転方向に対応する方向に軸転駆動するものとし、この駆動シャフトにサポートリンクを一体に設け、このサポートリンクの先端部と上記ベースブラケットの所定位置との間に、所定の支持リンクをその各端部の枢支のもとで架設することにより、上記モータの動力による下降位置、跳ね上げ位置間でのシートクッションの揺動を駆動シャフトの回動のもとで確保可能としたことを、この請求項１での最も主要な特徴としている。
【００１０】
また、この発明の請求項２は、下降位置、跳ね上げ位置間をチップアップ作動範囲として規定するとともに、下降位置からの上方所定範囲を、着座可能位置となるチルト作動範囲として規定し、チップアップ作動範囲間でのシートクッションの揺動をチップアップスイッチによって行い、かつチルト作動範囲内でのシートクッションの揺動をチルトスイッチによって行うものとしたことを、その最も主要な特徴としている。
【発明の効果】
【００１１】
本発明の請求項１に示す車両用チップアップシートは、下降位置、跳ね上げ位置間でのシートクッションの揺動の動力源としてモータを用いているため、その操作性が確実に改善されるという利点がある。
【００１２】
そして、チップアップシートの動力源としてモータを用いることにより、オートスライドとの組み合わせによるその動作の連動化が可能となることから、この点においてもその操作性が確実に向上されるという利点がある。
【００１３】
さらに、この発明においては、モータをシートクッションフレームに対して固定するため、車両走行時の振動等によるモータのガタツキが確実に阻止される。従って、モータをその駆動源とする構成であっても、異音の発生等に起因する乗員等への不快感の付与が十分に防止されるという利点が、この請求項１によれば得られる。
【００１４】
そして、その駆動源としてモータを用いる構成であれば、シートクッションの傾斜角度を任意に無段階で微調整できることから、チルト機構としての性能が確実に向上されるという利点がある。
【００１５】
また、この発明の請求項２は、チップアップ作動範囲とチルト作動範囲とを個別に規定し、対応する個別のスイッチ操作によって各動作を行うものとしているため、ワンタッチ操作によるチップアップ動作、および着座者の手元操作によるチルト調整がいずれも容易に確保可能となることから、チップアップ機能、チルト機能の性能およびその操作性の向上が一層はかられるという利点がある。
【発明を実施するための最良の形態】
【００１６】
操作性を改善し、かつチルト機能の性能の向上をはかるという目的を、構成の煩雑化等を伴うことなく実現可能とした。
【実施例】
【００１７】
図１は、本発明の車両用チップアップシート１０の概略縦断面図であり、これを見るとわかるように、この発明においては、その動力源となるモータ１２が、シートクッションフレーム１４に対する固定のもとで、そのシートクッション１６内に配されている。
【００１８】
図１、図２に示すように、このチップアップシート１０のシート本体をなすシートクッション１６およびシートバック１８は、左右一対のベースブラケット２０間に、その揺動を可能に個別に枢支、連結されている。そして、このチップアップシート１０は、シートクッション１６の後部に配された、その揺動中心となる枢軸２２を支点としたシートバック１８方向へのシートクッションの跳ね上げ形態を、その折り畳み形態として構成されている（図３参照）。
【００１９】
なお、ベースブラケット２０に対するシートバック１８の枢軸２４は、シートバックの傾斜角度を調整、設定可能とするシートリクライニング装置（図示しない）のものであるが、このシートリクライニング装置自体はこの発明の主旨でないため、ここでの詳細な説明は省略する。
【００２０】
また、図示のように、ベースブラケット２０は、たとえば、シートスライド装置２６に対し、そのアッパレールとの一体スライドを可能に設けられるが、このシートスライド装置自体はこの発明の主旨でないため、ここでの詳細な説明は省略する。
【００２１】
ここで、この発明においては、図２に示す下降位置と、図３に示す跳ね上げ位置との間でシートクッション１６を揺動させる際の動力源として、上述のようにモータ１２が設けられている。
【００２２】
図１に示すように、このモータ１２は、シートクッションフレーム１４への固定、たとえば、シートクッションフレームのサイドフレーム１４ａに対する、モータ固定用プレート（図示しない）を介した固定のもとで、シートクッション１６内に配されている。そして、たとえば、左右のサイドフレーム１４ａ間での架設により設けられた軸転可能な駆動シャフト２８に対してその動力を伝達可能に、このモータからの動力伝達手段３０は構成されている。
【００２３】
なお、この実施例において使用されるモータ１２は、出力端にピニオンギヤ３２を有するギヤドモータであるが、このギヤドモータの基本構造は公知であり、また一般的な市販品でもあるため、このギヤドモータに対する詳細な説明はここでは省略するものとする。
【００２４】
この動力伝達手段３０は減速ギヤ機構としてなり、その入力ギヤ３４をモータのピニオンギヤ３２に噛合させるとともに、その出力ギヤ３６を、駆動シャフト２８に一体回動可能に設けられたセクタギヤ３８に噛合させることにより、モータ１２の動力を駆動シャフトに伝達するものとして構成されている。
【００２５】
このような構成であれば、モータ１２の駆動に伴ったピニオンギヤ３２の回転により、動力伝達手段の入力ギヤ３４は回転される。そして、この回転力の伝達された出力ギヤ３６がセクタギヤ３８を対応方向に回動させるため、これにより、駆動シャフト２８は対応方向に回動、つまりは軸転される。
【００２６】
ここで、この駆動シャフト２８について説明する。図１を見るとわかるように、この駆動シャフト３０は、シートクッションの枢軸２２の軸線と平行となるように配されており、モータ１２の配される側のサイドフレーム１４ａの内面側に、セクタギヤ３８がその一体回動を可能に設けられるとともに、各サイドフレームの外面に沿って、一対のサポートリンク４０がその一体回動を可能にそれぞれ固定されている。そして、図２に示すように、この発明においては、このサポートリンク４０の先端部と、ベースブラケット２０との間に、一対の支持リンク４２が、その各端部の枢支のもとで架設されている。
【００２７】
この構成のチップアップシート１０の動作の概略を、ここで説明する。
【００２８】
このチップアップシート１０における下降位置、跳ね上げ位置間でのシートクッション１６の揺動は、たとえば、チップアップスイッチ（図示しない）によるモータ１２の駆動制御により行われる。
【００２９】
なお、このチップアップスイッチとしては、１回の操作によりその操作状態の継続されるワンタッチ式スイッチが例示できる。そして、このチップアップスイッチは、荷室側の車体側壁やインパネ等の、チップアップシート１０からの遠隔位置に配することが、その作業上の点において好ましい。
【００３０】
その着座位置となる、図１、図２に示すシートクッション１６の下降位置において、このチップアップスイッチをその跳ね上げ方向に操作すると、その対応方向へのモータ１２の駆動、つまりはピニオンギヤ３２の回転のもとで、セクタギヤ３８が、駆動シャフト２８を伴って図１中の時計方向に回動される。そして、この駆動シャフト２８の回動により、この駆動シャフトと一体のサポートリンク４０が図２中の時計方向に回動すると、それに伴った支持リンク４２の従動により、シートクッション１６は、枢軸２２を支点として、図２の矢印方向、つまりは跳ね上げ方向に揺動され、その揺動に進行に伴い、シートクッションが図３に示す跳ね上げ位置に到達すると、この到達を検出するリミットスイッチ（図示しない）によるＯＦＦ操作のもとで、モータ１２は停止される。
【００３１】
また、この図３の、シートクッション１６の跳ね上げ位置において、チップアップスイッチを復元方向にワンタッチ操作すると、モータ１２の逆転駆動により、駆動シャフト２８およびサポートリンク４０は図中反時計方向に回動、軸転する。そして、このサポートリンク４０の回動に伴う支持リンク４２の従動により、シートクッション１６が、枢軸２２を支点として図中反時計方向に揺動するとともに、このシートクッションが図１、図２に示す着座位置に到達すると、対応するリミットスイッチ（図示しない）によるＯＦＦ操作のもとで、モータ１２は停止される。
【００３２】
上記のように、この発明の車両用チップアップシート１０においては、下降位置、跳ね上げ位置間でのシートクッション１６の揺動の動力源としてモータ１２を用いている。つまり、対応するスイッチ（チップアップスイッチ）に対するスイッチ操作のもとで、その揺動が得られるため、その操作性が確実に改善される。
【００３３】
そして、チップアップシート１０の動力源としてモータ１２を用いることにより、オートスライドと称する、モータを駆動源としたシートスライド装置との組み合わせによるその動作の連動化が可能となる。つまり、この連動化を得ることにより、このチップアップシート１０に対するシートクッション１６の揺動操作、およびそのスライド操作が、スイッチ操作の１工程で足りるため、その操作の簡単化により、この点においてもその操作性が確実に向上される。
【００３４】
また、この発明においては、モータ１２がシートクッションフレーム１４に対して固定されている。つまり、モータ１２をその駆動源とする構成であっても、車両走行時の振動等によるモータのガタツキが確実に阻止されるため、この発明によれば、異音の発生等に起因する乗員等への不快感の付与が十分に防止される。
【００３５】
さらに、この発明においては、モータ１２の動力のもとで、駆動シャフト２８を軸転駆動させるとともに、この駆動シャフトの軸転駆動に伴ったサポートリンク４０の回動、およびそれに伴う支持リンク４２の従動により、シートクッション１６を下降位置、跳ね上げ位置間で揺動させれば足りるため、その構成の簡素化が十分にはかられる。
【００３６】
そして、この発明のように、その駆動源としてモータ１２を用いる構成においては、シートクッション１６の停止位置をモータの駆動停止のもとで任意に決定できるため、シートクッションの傾斜角度（チルト角度）を任意に無段階で調整、設定することが可能となる。つまり、シートクッション１６の傾斜角度の微調整が容易に可能になることから、チルト機構としての性能が確実に向上される。
【００３７】
ここで、上述した図２に示す下降位置をａ位置として、また図３に示す跳ね上げ位置をｂ位置として、図４にそれぞれ示す。そして、この図４に示すように、シートクッション１６の下降位置（ａ位置）、跳ね上げ位置（ｂ位置）間をチップアップ作動範囲α１として規定するとともに、下降位置（ａ位置）からの上方所定範囲、たとえばチルト上限位置（ｃ位置）までの間を、着座可能位置となるチルト作動範囲α２として予め規定し、このチップアップ作動範囲α１でのシートクッションの揺動を、上述したように車室側壁等に設けたチップアップスイッチによって行い、かつチルト作動範囲α２内でのシートクッションの揺動を、チップアップスイッチとは個別に設けたチルトスイッチによって行うものとすることも可能となる。
【００３８】
このチルトスイッチは、参照符号４４として図４に示すように、たとえば、着座者の操作容易なシートクッション１６の側面等に配設される。
【００３９】
このような構成によれば、シートクッション１６に対するチップアップ操作がチップアップスイッチによるワンタッチ操作のもとで可能となるため、チップアップに対する操作性がチルト機能の併設により低下されることがない。そして、シートクッション１６のチルト動作（傾斜動作）は、着座者の手元操作により、その限定的範囲内において行われるため、シートクッションのチルト調整におけるその操作性が確実に向上される。
【００４０】
従って、チップアップ機能、チルト機能の性能およびその操作性の向上が一層はかられる。
【００４１】
なお、この実施例においては、種々のギヤの組み合わせとしてなる減速ギヤ機構を、モータ１２からの動力を駆動シャフト２８に伝達するための動力伝達手段３０として具体化しているが、モータからの動力を駆動シャフトに伝達すれば足りるため、これに限定されず、たとえばチェーン手段等を含む構成として、この動力伝達手段を形成してもよい。
【００４２】
しかしながら、モータのピニオンギヤ３２の回転力を駆動シャフトのセクタギヤ３８に伝達する、減速ギヤ機構としてなる動力伝達手段３０であれば、その構成の複雑化等を伴うことなく、その動力伝達が適切に行えるとともに、その減速により、シートクッション１６の揺動が適切に確保できるため、その動力伝達性能、およびシートクッションの作動性能が確実に向上される。
【００４３】
また、この実施例においては、シートスライド装置２６による前後スライドの可能な構成として、チップアップシート１０が具体化されているが、これに限定されず、たとえば、ベースブラケット２０を車両の床体に固定的に連結することにより、その前後移動を不能としてもよい。
【００４４】
上述した実施例は、この発明を説明するためのものであり、この発明を何等限定するものでなく、この発明の技術範囲内で変形、改造等の施されたものも全てこの発明に包含されることはいうまでもない。
【産業上の利用可能性】
【００４５】
一般的には、１ボックス車やＲＶ車等の自動車に搭載されるチップアップシートがその対象となるが、これに限定されず、たとえば他の車両のチップアップシートに、この発明を応用してもよい。
【図面の簡単な説明】
【００４６】
【図１】シートクッションの下降位置における、この発明に係る車両用チップアップシートの概略縦断面図である。
【図２】シートクッションの下降位置における、車両用チップアップシートの概略側面図である。
【図３】シートクッションの跳ね上げ位置における、車両用チップアップシートの概略側面図である。
【図４】車両用チップアップシートの概略作動図である。
【符号の説明】
【００４７】
１０  車両用チップアップシート
１２  モータ
１６  シートクッション
２８  駆動シャフト
３０  動力伝達手段
４０  サポートリンク
４２  支持リンク
【図１】
0004780762.tif 000002
【図２】
0004780762.tif 000003
【図３】
0004780762.tif 000004
【図４】
0004780762.tif 000005